(57)【特許請求の範囲】
【請求項１】
基板上に形成された発光部を備える発光装置であって、
前記発光部は、前記基板上に配置された複数の発光素子と、当該複数の発光素子を封止するための封止樹脂とを備え、
前記封止樹脂には、残光時間が相対的に短い蛍光体と、当該蛍光体より残光時間が長い蓄光蛍光体との両方が混入されており、
前記蓄光蛍光体は、文字または記号を形成するように配置されていることを特徴とする発光装置。
【請求項２】
基板上に形成された発光部を備える発光装置であって、
前記発光部は、前記基板上に配置された複数の発光素子と、当該複数の発光素子を封止するための封止樹脂と、蓄光蛍光体層とを備え、
残光時間が相対的に短い蛍光体と、当該蛍光体より残光時間が長い蓄光蛍光体とのうち、前記封止樹脂には前記蛍光体のみが混入されており、前記蓄光蛍光体層には前記蓄光蛍光体のみが混入されており、
前記蓄光蛍光体層は、前記封止樹脂に周囲を取り囲まれており、平面視したとき、前記蓄光蛍光体層と、前記封止樹脂とは重なっていないことを特徴とする発光装置。
【請求項３】
基板上に形成された発光部を備える発光装置であって、
前記発光部は、前記基板上に配置された複数の発光素子と、当該複数の発光素子を封止するための封止樹脂と、前記封止樹脂の外周に形成され前記封止樹脂によって封止される領域を規定するための枠体樹脂とを備え、
残光時間が相対的に短い蛍光体と、当該蛍光体より残光時間が長い蓄光蛍光体とのうち、前記封止樹脂には前記蛍光体のみが混入されており、前記枠体樹脂には前記蓄光蛍光体のみが混入されていることを特徴とする発光装置。
【請求項４】
基板上に形成された発光部を備える発光装置であって、
前記発光部は、前記基板上に配置された複数の発光素子と、当該複数の発光素子を封止するための封止樹脂とを備え、
前記封止樹脂には、残光時間が相対的に短い蛍光体と、当該蛍光体より残光時間が長い蓄光蛍光体との両方が混入されており、
前記蓄光蛍光体は、前記発光部の表面側よりも前記基板側に偏って分布していることを特徴とする発光装置。
【請求項５】
前記蓄光蛍光体層は、前記封止樹脂に接していることを特徴とする請求項２に記載の発光装置。
【請求項６】
少なくとも一つの前記蓄光蛍光体層は、前記封止樹脂と離間していることを特徴とする請求項２に記載の発光装置。
【請求項７】
前記蓄光蛍光体は、文字または記号を形成するように配置されていることを特徴とする請求項２〜６のいずれか１項に記載の発光装置。
【請求項８】
前記蓄光蛍光体は、チクソ性樹脂によって封止されていることを特徴とする請求項２、５および６のいずれか１項に記載の発光装置。
【請求項９】
請求項１〜８のいずれか１項に記載の発光装置を複数備えた照明装置。
【請求項１０】
前記発光装置は、２次元的に配置されていることを特徴とする請求項９に記載の照明装置。
【請求項１１】
基板上に形成された平面状の発光部を備えた蓄光蛍光体を含まない非蓄光発光装置をさらに備え、
前記非蓄光発光装置は、前記発光装置とともに２次元的に配置されていることを特徴とする請求項１０に記載の照明装置。
【請求項１２】
前記発光装置は、文字または記号を形成するように配置されていることを特徴とする請求項１０または１１に記載の照明装置。
【発明の詳細な説明】
【技術分野】
【０００１】
本発明は、光を出射する発光装置に関し、特に、蓄光蛍光体を用いた発光装置に関する。
【背景技術】
【０００２】
発光ダイオードなどを光源とする発光装置において、光源の近傍に蓄光蛍光体を設けることにより、光源が発光停止した場合でも、蓄光蛍光体によって発光を持続させることができる発光装置が従来技術として知られている。
【０００３】
特許文献１には、画像表示のための画素として、近紫外域ないし可視光域に発光する発光ダイオードと、該発光ダイオードの発光光で励起されて瞬時発光し得る蓄光性蛍光体とを組み合わせた蓄光性発光素子を用い、前記発光ダイオードの発光が停止した後も、所望の発光色で発光を持続させることを可能としたディスプレイが開示されている。これにより、発光ダイオードを有する発光素子が何かの原因で発光停止した場合でも、ディスプレイとしての機能を持続させることができる。
【０００４】
特許文献２には、ＬＥＤと、ＬＥＤを覆うように配置された蛍光体とを有するＬＥＤパッケージと、ＬＥＤおよび蛍光体からの光を反射するための反射面を有するリフレクタとを具備する照明装置において、蓄光材が配置されている部分と、蓄光材が配置されていない部分とをリフレクタの反射面に設けた照明装置が開示されている。これにより、ＬＥＤのＯＦＦ時に補助的な光を照射できるようにしつつ、ＬＥＤのＯＮ時にリフレクタの反射面からの反射光が弱くなるおそれを低減できる。
【０００５】
特許文献３には、励起源のエネルギーの少なくとも一部を変換し、このエネルギーと異なる第一の発光スペクトルを有する第一の蛍光物質と、この第一の発光スペクトルの少なくとも一部を変換して、この第一の発光スペクトルと異なる第二の発光スペクトルを有する第二の蛍光物質とを有し、第一の蛍光物質は、蓄光性蛍光物質である蛍光物質が開示されている。これにより、非常に広い発光色度範囲を有し、高輝度の残光を発することができる蛍光物質、並びにこれを備えるランプを提供できる。
【０００６】
特許文献４には、ＬＥＤの光学系の中に蓄光材を組み込み、蓄光材をＬＥＤの紫外域エネルギーで励起させ、２次光源として利用する発光体が開示されている。これにより、蓄光材を励起するための専用の電力を投入することなく自発光の可視光が得られ発光体の効率が向上する。
【０００７】
特許文献５には、発光ダイオードチップと、前記チップの近傍に設けられ前記チップの発する光を透過させる透明部材と、前記透明部材中に分散して含まれる蓄光型蛍光剤粒子からなる発光ダイオードが開示されている。これにより、蓄光発光を利用することにより発光時間に対する消費電流を少なくし、省電力型の発光ダイオードを実現することができる。
【先行技術文献】
【特許文献】
【０００８】
【特許文献１】特開２００７−３０４５８８号公報（２００７年１１月２２日公開）
【特許文献２】特開２００７−２３４６３２号公報（２００７年９月１３日公開）
【特許文献３】特開２００５−３３０４５９号公報（２００５年１２月２日公開）
【特許文献４】特開２００５−１０１０２３号公報（２００５年４月１４日公開）
【特許文献５】特開２０００−１６４９３５号公報（２０００年６月１６日公開）
【発明の概要】
【発明が解決しようとする課題】
【０００９】
上述の従来技術は、いずれも点状の発光装置に蓄光蛍光体を用いた構成であるが、面状の発光装置にも蓄光機能を搭載することが望まれている。
【００１０】
本発明は、上記の問題点を解決するためになされたもので、その目的は、蓄光機能を有する面状の発光装置を実現することにある。
【課題を解決するための手段】
【００１１】
上記の課題を解決するために、本発明に係る発光装置は、基板上に形成された発光部を備える発光装置であって、前記発光部は、前記基板上に配置された複数の発光素子と、当該複数の発光素子を封止するための封止樹脂とを備え、前記封止樹脂には、残光時間が相対的に短い蛍光体と、当該蛍光体より残光時間が長い蓄光蛍光体との両方が混入されており、前記蓄光蛍光体は、文字または記号を形成するように配置されていることを特徴としている。
【００１２】
また、上記の課題を解決するために、本発明に係る発光装置は、基板上に形成された発光部を備える発光装置であって、前記発光部は、前記基板上に配置された複数の発光素子と、当該複数の発光素子を封止するための封止樹脂と、蓄光蛍光体層とを備え、残光時間が相対的に短い蛍光体と、当該蛍光体より残光時間が長い蓄光蛍光体とのうち、前記封止樹脂には前記蛍光体のみが混入されており、前記蓄光蛍光体層には前記蓄光蛍光体のみが混入されており、前記蓄光蛍光体層は、前記封止樹脂に周囲を取り囲まれており、平面視したとき、前記蓄光蛍光体層と、前記封止樹脂とは重なっていないことを特徴としている。
【００１３】
また、上記の課題を解決するために、本発明に係る発光装置は、基板上に形成された発光部を備える発光装置であって、前記発光部は、前記基板上に配置された複数の発光素子と、当該複数の発光素子を封止するための封止樹脂と、前記封止樹脂の外周に形成され前記封止樹脂によって封止される領域を規定するための枠体樹脂とを備え、残光時間が相対的に短い蛍光体と、当該蛍光体より残光時間が長い蓄光蛍光体とのうち、前記封止樹脂には前記蛍光体のみが混入されており、前記枠体樹脂には前記蓄光蛍光体のみが混入されていることを特徴としている。
また、上記の課題を解決するために、本発明に係る発光装置は、基板上に形成された発光部を備える発光装置であって、前記発光部は、前記基板上に配置された複数の発光素子と、当該複数の発光素子を封止するための封止樹脂とを備え、前記封止樹脂には、残光時間が相対的に短い蛍光体と、当該蛍光体より残光時間が長い蓄光蛍光体との両方が混入されており、前記蓄光蛍光体は、前記発光部の表面側よりも前記基板側に偏って分布していることを特徴としている。
【発明の効果】
【００１４】
以上のように、本発明に係る発光装置は、基板上に形成された平面状の発光部を備える発光装置であって、前記基板上の少なくとも一部に、蓄光蛍光体を備える構成であるので、蓄光機能を有する面状の発光装置を実現できるという効果を奏する。
【図面の簡単な説明】
【００１５】
【図１】本発明の第１の実施形態に係る発光装置の構成を示す斜視図である。
【図２】本発明の第１の実施形態に係る発光装置の構成を示す断面図である。
【図３】本発明の第２の実施形態に係る発光装置の構成を示す斜視図である。
【図４】本発明の第２の実施形態に係る発光装置の構成を示す断面図である。
【図５】本発明の第２の実施形態の変形例に係る発光装置の構成を示す斜視図である。
【図６】本発明の第２の実施形態の変形例に係る発光装置の構成を示す断面図である。
【図７】本発明の第３の実施形態に係る発光装置の構成を示す斜視図である。
【図８】本発明の第３の実施形態に係る発光装置の構成を示す断面図である。
【図９】本発明の第３の実施形態の変形例に係る発光装置の構成を示す斜視図である。
【図１０】本発明の第３の実施形態の変形例に係る発光装置の構成を示す断面図である。
【図１１】本発明の第３の実施形態の他の変形例に係る発光装置の構成を示す断面図である。
【図１２】本発明の第４の実施形態に係る発光装置の構成を示す斜視図である。
【図１３】本発明の第４の実施形態の変形例に係る発光装置の構成を示す斜視図である。
【図１４】本発明の第５の実施形態に係る発光装置の構成を示す斜視図である。
【図１５】図１４に示す発光装置の構成を示す斜視図であり、発光部が消灯した状態を示している。
【図１６】本発明の第５の実施形態の変形例に係る発光装置の構成を示す斜視図である。
【図１７】本発明の第６の実施形態に係る照明装置の構成を示す平面図である。
【図１８】本発明の第６の実施形態の変形例に係る照明装置の構成を示す平面図である。
【発明を実施するための形態】
【００１６】
〔実施形態１〕
本発明の第１の実施形態について図１〜図２に基づいて説明すれば、以下のとおりである。
【００１７】
（発光装置１の構成）
図１は、本実施形態に係る発光装置１の構成を示す斜視図であり、図２は、発光装置１の構成を示す断面図である。
【００１８】
図１に示すように、発光装置１は、基板２、発光部３、ランド電極４、引き出し配線５および蓄光蛍光体層６を備えている。発光装置１は、いわゆる CHIP on Board（ＣＯＢ）タイプの発光装置の一種であり、発光部３が基板２上に平面状に形成されている。
【００１９】
図２に示すように、発光部３は、ＬＥＤチップ（発光素子）３１、封止樹脂３２、蛍光体３３および枠体樹脂３４を備えている。ＬＥＤチップ３１は、基板２上にマトリクス状に複数配置されており、基板２上に形成された図示しない配線パターンによって互いに接続されている。
【００２０】
封止樹脂３２は、ＬＥＤチップ３１および蛍光体３３を封止する透光性の樹脂である。蛍光体３３は、ＬＥＤチップ３１の出射光によって励起され、所定の色の光を発する。これにより、発光部３の出射光の色は、ＬＥＤチップ３１の出射光の色と、蛍光体３３の励起光の色とを混色した色となる。なお、発光部３の出射光の色に応じて、蛍光体３３を封止樹脂３２に含有しない構成としてもよい。
【００２１】
枠体樹脂３４は、封止樹脂３２の外周に形成されており、封止樹脂３２によって封止される領域を規定する樹脂ダムとして機能する。図１に示すように、枠体樹脂３４は、円形状に形成されているが、その形状は限定されず、方形などの形状であってもよい。
【００２２】
ランド電極４は、ＬＥＤチップ３１への給電のための電極であり、発光部３を間において対向する位置に２つ配置されている。引き出し配線５は、ＬＥＤチップ３１とランド電極４とを接続する配線である。
【００２３】
（蓄光蛍光体層６の配置）
図１に示すように、発光装置１では、さらに蓄光蛍光体層６が、発光部３の表面上（出射面上）に形成されている。蓄光蛍光体層６は、複数の蓄光蛍光体７を含有している。蓄光蛍光体層６が設けられていることにより、ランド電極４からの給電停止等により発光部３の発光が停止した場合であっても、蓄光蛍光体７がしばらくの間（数十秒〜数分間）点灯する。よって、発光装置１を非常用照明器具として利用することができる。
【００２４】
また、蓄光蛍光体層６は、発光部３よりも小さい円板状に形成されている。すなわち、図２に示すように、蓄光蛍光体層６の断面は、発光部３の表面に対して凸状になっている。これにより、発光装置１の通常点灯時に、蓄光蛍光体層６によって遮られる光を少なくすることができる。
【００２５】
なお、図１では、蓄光蛍光体層６が発光部３の表面の中央に形成されているが、蓄光蛍光体層６を形成する位置は、発光部３の表面上であれば特に限定されない。
【００２６】
さらに、蓄光蛍光体７は、チクソ性樹脂によって封止されていることが好ましい。これにより、蓄光蛍光体層６の形成が容易になるとともに、蓄光蛍光体層６の形状が崩れにくくなる。
【００２７】
発光装置１の製造工程では、ＬＥＤチップ３１を取り囲むように枠体樹脂３４を形成した後、蛍光体３３が混入された封止樹脂３２を枠体樹脂３４の内側に注入して、発光部３を形成する。その後、発光部３の表面上に、蓄光蛍光体層６を形成する。
【００２８】
なお、蓄光蛍光体７としては、３ルミン酸ストロンチウム（ＳｒＡｌ２Ｏ４：Ｅｕ，Ｄｙ、５２０ｎｍの発光）、Ｓｒ４Ａｌ１４Ｏ２５：Ｅｕ，Ｄｙ（５００ｎｍの発光）、ＣａＳ：Ｅｕ，Ｔｍ（発光色：赤）、ＺｎＳ：Ｃｕ，Ｍｎ，Ｃｏ（発光色：黄橙）、ＺｎＳ：Ｃｕ（発光色：黄緑）、（Ｃａ，Ｓｒ）Ｓ：Ｂｉ（発光色：青紫）などを用いることができる。その他、蓄光蛍光体７として、イエローグリーン、ブルー、パープルなどの発光色を有するものを用いることができる。
【００２９】
〔実施形態２〕
本発明の第２の実施形態について図３〜図６に基づいて説明すれば、以下のとおりである。なお、説明の便宜上、前記の実施形態において説明した部材と同じ機能を有する部材については、同じ符号を付記し、その説明を省略する。
【００３０】
（発光装置１ａの構成）
図３は、本実施形態に係る発光装置１ａの構成を示す斜視図であり、図４は、発光装置１ａの構成を示す断面図である。
【００３１】
図３に示すように、発光装置１ａは、基板２、発光部３ａ、ランド電極４および引き出し配線５を備えている。すなわち、発光装置１ａは、第１の実施形態に係る発光装置１において、発光部３を発光部３ａに置き換え、蓄光蛍光体層６を省略した構成である。
【００３２】
図４に示すように、発光部３ａは、ＬＥＤチップ３１、封止樹脂３２、蛍光体３３、枠体樹脂３４および蓄光蛍光体７を備えている。すなわち、発光部３ａは、第１の実施形態に係る発光部３において、封止樹脂３２に蓄光蛍光体７をさらに混入した構成である。
【００３３】
これにより、ＬＥＤチップ３１の発光が停止した場合であっても、蓄光蛍光体７がしばらくの間点灯するので、発光装置１ａを非常用の照明器具として利用することができる。
【００３４】
（変形例）
発光装置１ａでは、蓄光蛍光体７が封止樹脂３２内に均等に分散している。そのため、発光部３ａの通常点灯時の発光効率が低下してしまう。そこで、通常点灯時における発光効率の低下を抑制する構成について説明する。
【００３５】
図５は、本実施形態の変形例に係る発光装置１ｂの構成を示す斜視図であり、図６は、発光装置１ｂの構成を示す断面図である。
【００３６】
図５に示すように、発光装置１ｂは、基板２、発光部３ｂ、ランド電極４および引き出し配線５を備えている。すなわち、発光装置１ｂは、図３に示す発光装置１ａにおいて、発光部３ａを発光部３ｂに置き換えた構成である。
【００３７】
図６に示すように、発光部３ｂは、図４に示す発光部３ａと同様、ＬＥＤチップ３１、封止樹脂３２、蛍光体３３、枠体樹脂３４および蓄光蛍光体７を備えている。一方、発光部３ｂでは、発光部３ａと異なり、蓄光蛍光体７は、封止樹脂３２の底部に沈降しており、発光部３ｂの表面側にはほとんど存在していない。
【００３８】
このように、蓄光蛍光体７が、発光部３ｂの表面側よりも基板２側に偏って分布しているため、発光部３ｂの通常点灯時において、蓄光蛍光体７がＬＥＤチップ３１の出射光をほとんど遮ることがない。したがって、発光装置１ａの通常点灯時における発光効率の低下を抑制することができる。
【００３９】
発光部３ｂの形成工程では、封止樹脂３２の粘度が低い状態で、先に蓄光蛍光体７を封止樹脂３２内に沈降させる。その後、封止樹脂３２の粘度が高い状態で、蛍光体３３を封止樹脂３２内に分散させる。このとき、蛍光体３３は封止樹脂３２の底部に沈降しない。
【００４０】
〔実施形態３〕
本発明の第３の実施形態について図７〜図１０に基づいて説明すれば、以下のとおりである。なお、説明の便宜上、前記の各実施形態において説明した部材と同じ機能を有する部材については、同じ符号を付記し、その説明を省略する。
【００４１】
（発光装置１ｃの構成）
図７は、本実施形態に係る発光装置１ｃの構成を示す斜視図であり、図８は、発光装置１ｃの構成を示す断面図である。
【００４２】
図７に示すように、発光装置１ｃは、基板２、発光部３ｃ、ランド電極４、引き出し配線５および蓄光蛍光体層６ｃを備えている。すなわち、発光装置１ｃは、第１の実施形態に係る発光装置１において、発光部３および蓄光蛍光体層６をそれぞれ、発光部３ｃおよび蓄光蛍光体層６ｃに置き換えた構成である。蓄光蛍光体層６ｃは、蓄光蛍光体層６と同様、複数の蓄光蛍光体７を含有している。
【００４３】
図８に示すように、発光部３ｃは、ＬＥＤチップ３１、封止樹脂３２、蛍光体３３および枠体樹脂３４を備えている。発光部３ｃの中央部分には開口が設けられ、当該開口部分に蓄光蛍光体層６ｃが設けられている。言い換えると、基板２上に形成された蓄光蛍光体層６ｃが、封止樹脂３２に取り囲まれている。
【００４４】
この場合、枠体樹脂３４および蓄光蛍光体層６ｃを、チクソ性樹脂によって形成し、その後、枠体樹脂３４と蓄光蛍光体層６ｃとの間に封止樹脂３２を注入することにより、発光部３ｃを形成する。また、封止樹脂３２中に蓄光蛍光体７を混練することにより、発光部３ｃを形成することが好ましい。これにより、発光装置１ｃの通常点灯時に、蓄光蛍光体層６ｃが形成された領域の輝度はあまり低下しない。
【００４５】
（変形例１）
上記の発光装置１ｃでは、蓄光蛍光体層６ｃと封止樹脂３２とが接触していたが、下記では、蓄光蛍光体層と封止樹脂とを離間させた構成について説明する。
【００４６】
図９は、本実施形態の変形例に係る発光装置１ｄの構成を示す斜視図であり、図１０は、発光装置１ｄの構成を示す断面図である。
【００４７】
図９に示すように、発光装置１ｄは、基板２、発光部３ｄ、ランド電極４、引き出し配線５および蓄光蛍光体層６ｄを備えている。すなわち、発光装置１ｄは、図７および図８に示す発光装置１ｃにおいて、発光部３ｃおよび蓄光蛍光体層６をそれぞれ、発光部３ｄおよび蓄光蛍光体層６ｄに置き換えた構成である。蓄光蛍光体層６ｄは、蓄光蛍光体層６・６ｃと同様、複数の蓄光蛍光体７を含有している。
【００４８】
図１０に示すように、発光部３ｄは、ＬＥＤチップ３１、封止樹脂３２、蛍光体３３、枠体樹脂３４および枠体樹脂３４ａを備えている。枠体樹脂３４ａは、枠体樹脂３４と同様、封止樹脂３２によって封止される領域を規定する円形状の樹脂ダムであり、封止樹脂３２の内周に形成されている。蓄光蛍光体層６ｄは、枠体樹脂３４ａの内側に形成されている。
【００４９】
上記の構成では、発光部３ｄを形成した後に蓄光蛍光体層６ｄを形成してもよいし、蓄光蛍光体層６ｄを形成した後に発光部３ｄを形成してもよい。そのため、発光装置１ｄは、発光装置１ｃに比べて製造工程の自由度が高い。
【００５０】
（変形例２）
上述の発光装置１ｃ・１ｄでは、蓄光蛍光体層６ｃ・６ｄが形成された領域の通常点灯時における輝度が低下しやすい。そこで、本変形例では、発光部と基板との間に蓄光蛍光体層を形成することにより、蓄光蛍光体層の形成領域の輝度低下を抑制する構成について説明する。
【００５１】
図１１は、本実施形態の他の変形例に係る発光装置１ｅの構成を示す断面図である。発光装置１ｅは、基板２、発光部３ｅ、ランド電極４、引き出し配線５および蓄光蛍光体層６ｅを備えている。蓄光蛍光体層６ｅは、蓄光蛍光体層６・６ｃ・６ｄと同様、複数の蓄光蛍光体７を含有している。
【００５２】
図１１に示すように、基板２の一部に、凹部２ａが形成されており、蓄光蛍光体層６ｅは、凹部２ａに充填されるように形成されている。発光部３ｅは、ＬＥＤチップ３１、封止樹脂３２、蛍光体３３および枠体樹脂３４を備えており、蓄光蛍光体層６ｅの形成領域を含む基板２上に形成されている。
【００５３】
このように、蓄光蛍光体層６ｅが基板２の凹部２ａに埋め込まれ、蓄光蛍光体層６ｅの上に発光部３ｅが形成されているので、蓄光蛍光体層６ｅに含まれる蓄光蛍光体７が発光部３ｅの出射光を遮ることがない。よって、蓄光蛍光体層６ｅの形成領域の輝度低下を抑制することができる。
【００５４】
〔実施形態４〕
本発明の第４の実施形態について図１２〜図１３に基づいて説明すれば、以下のとおりである。なお、説明の便宜上、前記の各実施形態において説明した部材と同じ機能を有する部材については、同じ符号を付記し、その説明を省略する。
【００５５】
（発光装置１ｆの構成）
図１２は、本実施形態に係る発光装置１ｆの構成を示す斜視図である。発光装置１ｆは、基板２、発光部３ｆ、ランド電極４および引き出し配線５を備えている。
【００５６】
発光部３ｆは、ＬＥＤチップ（図略）、封止樹脂３２、蛍光体（図略）および枠体樹脂３４ｂを備えている。すなわち、発光部３ｆは、第１の実施形態に係る発光部３において、枠体樹脂３４の代わりに枠体樹脂３４ｂを用いた構成である。
【００５７】
枠体樹脂３４ｂは、枠体樹脂３４と同様、封止樹脂３２によって封止される領域を規定する樹脂ダムとして機能する。これに加えて、枠体樹脂３４ｂは、蓄光蛍光体７を含有している。
【００５８】
このように、枠体樹脂３４ｂに蓄光蛍光体７を混入することにより、発光部３ｆの消灯後も、発光部３ｆの周囲を点灯させることができる。また、発光装置１ｆの製造が容易になる。
【００５９】
なお、前記の実施形態１〜３においても、さらに枠体樹脂３４に蓄光蛍光体７を混入させてもよい。その場合、枠体樹脂３４に混入される蓄光蛍光体７と、蓄光蛍光体層６や封止樹脂３２に混入される蓄光蛍光体７とは、同一種類の蓄光蛍光体であってもよいし、異なる種類の蓄光蛍光体であってもよい。
【００６０】
（変形例）
図１３は、本実施形態の変形例に係る発光装置１ｇの構成を示す斜視図である。発光装置１ｇは、図１２に示す発光装置１ｆと同様、基板２、発光部３ｆ、ランド電極４および引き出し配線５を備えている。一方、発光装置１ｇは、基板２の表面の発光部３ｆが形成されていない領域に蓄光蛍光体７が塗布されている点で、発光装置１ｆと相違している。
【００６１】
このように、基板２上にも蓄光蛍光体７を塗布することにより、発光部３ｆの消灯時における発光装置１ｇの発光面積を大きくすることができる。
【００６２】
なお、印刷によって蓄光蛍光体７を基板２に塗布する場合、蓄光蛍光体７として、第１の実施形態において例示した蓄光蛍光体の他、Ｓｒ４Ａｌ１４Ｏ２５：Ｅｕ，Ｄｙ＋ＣａＡｌ２Ｏ４：Ｅｕ，Ｎｄ、ＣａＡｌ２Ｏ４：Ｅｕ，Ｎｄなどを用いることができる。
【００６３】
また、枠体樹脂３４に混入される蓄光蛍光体７と、基板２の表面に塗布される蓄光蛍光体７とは、同一種類の蓄光蛍光体であってもよいし、異なる種類の蓄光蛍光体であってもよい。
【００６４】
〔実施形態５〕
本発明の第５の実施形態について図１４〜図１６に基づいて説明すれば、以下のとおりである。なお、説明の便宜上、前記の各実施形態において説明した部材と同じ機能を有する部材については、同じ符号を付記し、その説明を省略する。
【００６５】
（発光装置１ｈの構成）
図１４は、本実施形態に係る２つの発光装置１ｈの構成を示す斜視図である。発光装置１ｈは、基板２、発光部３ｈ、ランド電極４および引き出し配線５を備えている。
【００６６】
発光部３ｈは、ＬＥＤチップ（図略）、封止樹脂３２、蛍光体３３、枠体樹脂３４および蓄光蛍光体７を備えている。ＬＥＤチップ（図略）、蛍光体３３および蓄光蛍光体７は、封止樹脂３２によって封止されている。
【００６７】
ここで、本実施形態では、蓄光蛍光体７は、発光装置１ｈの文字または記号を形成するように配置されている。図１４の左側に示す発光装置１ｈでは、蓄光蛍光体７が「出」の文字を形成するように配置されており、図１４の右側に示す発光装置１ｈでは、蓄光蛍光体７が「口」の文字を形成するように配置されている。
【００６８】
これにより、発光部３ｈが消灯すると、図１５に示すように、２つの発光装置１ｈは、「出」および「口」の文字を描くように発光する。これにより、発光装置１ｈの非常用照明器具としての機能を高めることができる。なお、避難経路を示す矢印などの記号を形成するように蓄光蛍光体７を配置してもよい。
【００６９】
また、蓄光蛍光体７が、図形や模様を形成するように配置されてもよい。発光装置の消灯後に、蓄光蛍光体７によって図形や模様を表示させることで、発光装置をインテリア照明として利用することもできる。
【００７０】
（変形例）
図１６は、本実施形態の変形例に係る発光装置１ｉの構成を示す斜視図である。発光装置１ｉは、基板２、発光部３ｉ１、３ｉ２、ランド電極４および引き出し配線５を備えている。
【００７１】
発光部３ｉ１は、ＬＥＤチップ（図略）、封止樹脂３２、蛍光体３３および枠体樹脂（図略）を備えている。発光部３ｉ２は、ＬＥＤチップ（図略）、封止樹脂３２、蛍光体３３および枠体樹脂（図略）に加え、蓄光蛍光体７をさらに備えている。
【００７２】
ここで、発光部３ｉ２は、「出」の文字を描くように形成されている。発光部３ｉ２には蓄光蛍光体７が混入されているため、発光部３ｉ１、３ｉ２のＬＥＤチップが消灯した場合、発光装置１ｉは、「出」の文字を描くように発光する。
【００７３】
以上のように、文字または記号を形成するように蓄光蛍光体を配置することにより、発光装置１ｉの非常用照明器具としての機能を高めることができる。
【００７４】
〔実施形態６〕
本発明の第６の実施形態について図１７〜図１８に基づいて説明すれば、以下のとおりである。本実施形態では、本発明に係る発光装置を複数備えた照明装置について説明する。なお、説明の便宜上、前記の各実施形態において説明した部材と同じ機能を有する部材については、同じ符号を付記し、その説明を省略する。
【００７５】
（照明装置の例）
図１７は、本実施形態に係る照明装置１０の構成を示す平面図である。照明装置１０は、第２の実施形態に係る発光装置１ａを、基板８上に２次元的に複数配置して構成される。これにより、照明装置１０への給電が停止した場合であっても、照明装置１０は、しばらくの間発光することができる。
【００７６】
図１８は、本実施形態の変形例に係る照明装置１０ａの構成を示す平面図である。照明装置１０ａは、発光装置１ａおよび発光装置１０１を、基板８上に２次元的に複数配置して構成される。発光装置１０１は、蓄光蛍光体を含まない非蓄光発光装置である。
【００７７】
照明装置１０ａにおいて、蓄光蛍光体を有する発光装置１ａは、「出」の文字を形成するように配置されている。これにより、照明装置１０ａへの給電が停止した場合に、図１８に示すように、照明装置１０ａは、「出」の文字を表示するように発光する。
【００７８】
なお、蓄光蛍光体を有する発光装置は、発光装置１ａに限定されず、発光装置１・１ｂ〜１ｇを用いてもよい。また、蓄光蛍光体を有する発光装置のみを文字または記号を形成するように配置することにより、照明装置を構成してもよい。
【００７９】
このように、本発明に係る発光装置を文字または記号を形成するように配置することにより、照明装置１０ａの非常用照明器具としての機能を高めることができる。
【００８０】
〔実施形態の総括〕
以上、基板上に形成された平面状の発光部を備える発光装置に蓄光蛍光体を搭載する様々な形態について説明したが、蓄光蛍光体を搭載する方法は、上述した各実施形態に限定されない。すなわち、基板上に形成された平面状の発光部を備える発光装置であって、前記基板上の少なくとも一部に、蓄光蛍光体を備える発光装置であれば、さらに換言すると、基板上に発光部分と蓄光蛍光体を含む部分とが形成されている発光装置であれば、本発明の技術的範囲に含まれる。
【００８１】
例えば、ＬＥＤチップ３１の裏面を基板２の表面に接着する接着剤（コンパウンド）に、蓄光蛍光体７を含有させてもよい。ＬＥＤチップ３１の基板の裏面にも光が透過するので、ＬＥＤチップ３１を実装する接着剤に蓄光蛍光体７を含有させることで、ＬＥＤチップ３１の出射光の一部が蓄光蛍光体７に蓄光される。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８３】
なお、各実施形態、および、異なる実施形態にそれぞれ開示された技術的手段を適宜組み合わせて得られる実施形態では、１種類の蓄光蛍光体を用いてもよいし、複数種類の蓄光蛍光体を用いてもよい。
【００８４】
本発明は、下記のように解釈することもできる。
【００８５】
上記の課題を解決するために、本発明に係る発光装置は、基板上に形成された発光部を備える発光装置であって、前記基板上の少なくとも一部に、蓄光蛍光体を備えることを特徴としている。
【００８６】
上記の構成によれば、基板上の少なくとも一部に、蓄光蛍光体が設けられているので、発光部の発光が停止した場合であっても、蓄光蛍光体がしばらくの間点灯する。よって、発光装置は、光源としての機能を維持することができる。したがって、蓄光機能を有する面状の発光装置を実現することができる。
【００８７】
本発明に係る発光装置では、前記発光部は、前記基板上に配置された発光素子と、当該発光素子を封止するための封止樹脂とを備えることが好ましい。
【００８８】
本発明に係る発光装置では、前記封止樹脂の外周に形成され、前記封止樹脂によって封止される領域を規定するための枠体樹脂をさらに備え、前記枠体樹脂は、前記蓄光蛍光体を含有することが好ましい。
【００８９】
上記の構成によれば、枠体樹脂に蓄光蛍光体を混入することにより、発光部の消灯後も、発光部の周囲を点灯させることができ、また、発光装置の製造が容易になる。
【００９０】
本発明に係る発光装置では、前記蓄光蛍光体は、前記基板上に塗布されていることが好ましい。
【００９１】
上記の構成によれば、発光部の消灯時における発光装置の発光面積を大きくすることができる。
【００９２】
本発明に係る発光装置では、前記発光部の表面上に、少なくとも一つの前記蓄光蛍光体を封止した蓄光蛍光体層が形成されていることが好ましい。
【００９３】
本発明に係る発光装置では、前記蓄光蛍光体は、前記発光素子とともに前記封止樹脂によって封止されていることが好ましい。
【００９４】
本発明に係る発光装置では、前記蓄光蛍光体は、前記発光部の表面側よりも前記基板側に偏って分布していることが好ましい。
【００９５】
上記の構成によれば、蓄光蛍光体が、発光部の表面側よりも基板側に偏って分布しているため、発光部の通常点灯時において、蓄光蛍光体が発光素子の出射光をほとんど遮ることがない。したがって、発光装置の通常点灯時における発光効率の低下を抑制することができる。
【００９６】
本発明に係る発光装置では、前記基板上に、前記蓄光蛍光体を封止した蓄光蛍光体層が形成され、少なくとも一つの前記蓄光蛍光体層は、前記封止樹脂に取り囲まれていることが好ましい。
【００９７】
本発明に係る発光装置では、前記蓄光蛍光体層は、前記封止樹脂に接していることが好ましい。
【００９８】
本発明に係る発光装置では、少なくとも一つの前記蓄光蛍光体層は、前記封止樹脂と離間していることが好ましい。
【００９９】
上記の構成によれば、発光部を形成した後に蓄光蛍光体層を形成してもよいし、蓄光蛍光体層を形成した後に発光部を形成してもよいので、発光装置の製造工程の自由度を高めることができる。
【０１００】
本発明に係る発光装置では、前記蓄光蛍光体は、文字または記号を形成するように配置されていることが好ましい。
【０１０１】
上記の構成によれば、発光装置の非常用照明器具としての機能を高めることができる。
【０１０２】
本発明に係る発光装置では、前記蓄光蛍光体は、チクソ性樹脂によって封止されていることが好ましい。
【０１０３】
上記の構成によれば、蓄光蛍光体層の形成が容易になるとともに、蓄光蛍光体層の形状が崩れにくくなる。
【０１０４】
本発明に係る照明装置は、上記いずれかの発光装置を複数備えている。
【０１０５】
本発明に係る照明装置では、前記発光装置は、２次元的に配置されていることが好ましい。
【０１０６】
本発明に係る照明装置では、基板上に形成された平面状の発光部を備えた蓄光蛍光体を含まない非蓄光発光装置をさらに備え、前記非蓄光発光装置は、前記発光装置とともに２次元的に配置されていることが好ましい。
【０１０７】
本発明に係る照明装置では、前記発光装置は、文字または記号を形成するように配置されている。
【０１０８】
上記の構成によれば、照明装置の非常用照明器具としての機能を高めることができる。
【産業上の利用可能性】
【０１０９】
本発明は、特に非常用の照明器具に好適である。
【符号の説明】
【０１１０】
１    発光装置
１ａ  発光装置
１ｂ  発光装置
１ｃ  発光装置
１ｄ  発光装置
１ｅ  発光装置
１ｆ  発光装置
１ｇ  発光装置
１ｈ  発光装置
１ｉ  発光装置
２    基板
２ａ  凹部
３    発光部
３ａ  発光部
３ｂ  発光部
３ｃ  発光部
３ｄ  発光部
３ｅ  発光部
３ｆ  発光部
３ｈ  発光部
３ｉ１  発光部
３ｉ２  発光部
４    ランド電極
５    引き出し配線
６    蓄光蛍光体層
６ｃ  蓄光蛍光体層
６ｄ  蓄光蛍光体層
６ｅ  蓄光蛍光体層
７    蓄光蛍光体
８    基板
１０  照明装置
１０ａ  照明装置
３１  ＬＥＤチップ（発光素子）
３２  封止樹脂
３３  蛍光体
１０１  発光装置
【図１】
0005847619.tif 000002
【図２】
0005847619.tif 000003
【図３】
0005847619.tif 000004
【図４】
0005847619.tif 000005
【図５】
0005847619.tif 000006
【図６】
0005847619.tif 000007
【図７】
0005847619.tif 000008
【図８】
0005847619.tif 000009
【図９】
0005847619.tif 000010
【図１０】
0005847619.tif 000011
【図１１】
0005847619.tif 000012
【図１２】
0005847619.tif 000013
【図１３】
0005847619.tif 000014
【図１４】
0005847619.tif 000015
【図１５】
0005847619.tif 000016
【図１６】
0005847619.tif 000017
【図１７】
0005847619.tif 000018
【図１８】
0005847619.tif 000019